(57)【要約】　　　（修正有）【課題】鍵の着脱が容易且つ便利であり、全体構造の機械強度が向上し壊れにくく且つ全体の外観が綺麗であるリング式鍵収集装置を提供する。【解決手段】上下対向に結合するためのカバー１０，２０が設けており、これら上下カバーの中央にはそれぞれ基体部１１，２１が設けられており、且つ各基体部から放射状に伸び適正な幅を有する多数の間隔部１２，１３，１４，２２，２３，２４が設けられており、対向した各間隔部の間には操作スペースが形成され、なお、各間隔部には別々に円弧形溝１５，２５が設けられ、上下カバーを結合すると各円弧形溝が貫通孔１６に形成され、そして、上下カバーには円弧形溝に連通した窪み１７，２７が設けられており、窪みには、外部から滑らせることができ平常時にその先端部が円弧形溝に進入する一滑り制御素子２９が設けており、また、欠け口３１を有する一リング３０が設けられている。【選択図】図２
0003098097.tif 000002
【実用新案登録請求の範囲】
【請求項１】
上下対向に結合するためのカバーが設けられており、これら上下カバーの中央にはそれぞれ基体部が設けられており、且つ前記各基体部から放射状に伸び適正な幅を有する多数の間隔部が設けられており、対向した各間隔部の間には操作スペースが形成され、なお、前記各間隔部には別々に円弧形溝が設けられ、上下カバーを結合すると前記各円弧形溝が貫通孔に形成され、そして、上下カバーには前記円弧形溝に連通した窪みが設けられており、前記窪みには、外部から滑らせることができ平常時にその先端部が前記円弧形溝に進入する一滑り制御素子が設けられており、円心へ前記滑り制御素子を押すと、その先端部が前記円弧形溝から離脱し、また、欠け口を有する一リングが設けられており、上下カバーを結合した際に、前記リングが前記円弧形溝で形成された貫通孔内に自在に滑ることができ、前記リングの欠け口は、旋回されて間隔部のなかに位置し、又は隣接した間隔部の間の操作スペースに位置することができることを特徴とするリング式鍵収集装置。
【請求項２】
前記滑り制御素子は、平常時に一弾性素子に付勢されることを特徴とする請求項１に記載のリング式鍵収集装置。
【請求項３】
前記弾性素子は、滑り制御素子と窪みの間に装着された一バネであることを特徴とする請求項２に記載のリング式鍵収集装置。
【請求項４】
前記滑り制御素子の外表面には一突起が設けられており、一カバーには前記突起を露出するための四角孔が設けられていることを特徴とする請求項１に記載のリング式鍵収集装置。
【請求項５】
上下カバーの間隔部における円弧形溝は、前記間隔部の外縁の近傍に設けられたことを特徴とする請求項１に記載のリング式鍵収集装置。
【考案の詳細な説明】
【０００１】
【考案の属する技術分野】
この考案はリング式鍵収集装置に係り、特に鍵を収容するための操作スペースを拡大することができ、且つリングの全体構造の機械強度を向上することができるリング式鍵収集装置に関する。
【０００２】
【従来の技術】
従来の双金属リングから構成された鍵収集装置は、鍵を着脱する際には非常に不便である。従って、目下の鍵収集装置の大半は円盤式である。このような円盤式鍵収集装置は、基本的に溝付き輪状レールが設けられており、且つ前記溝付き輪状レールの一定位置では鍵の出入り口が設けられており、前記鍵の出入り口は一滑りピンにより開閉することができる。しかしながら、鍵の出入り口は極めて狭いため、使用者は指で鍵を着脱することが非常に面倒であった。
【０００３】
上記の欠点を解決するために、ある鍵収集装置は、本体の頂端に回転できる一リングを設け、前記リングの所定位置では鍵の出入りのための一欠け口が設けられた。平常時に、前記リングの欠け口は本体内に旋回されて閉鎖状態になる。鍵を着脱しようとする際には、前記リングの欠け口が本体外に旋回されてオープン状態になる。しかしながら、大きい寸法を有する中空リングは鍵収集装置の本体から不協調に伸びたため、外観は不協調になり、且つうっかり当たると壊れる可能性があった。
【０００４】
【考案が解決しようとする課題】
前記のような鍵収集装置には次のような欠点があった。
【０００５】
（イ）円盤式鍵収集装置は、鍵の出入り口は極めて狭いため、使用者は指で鍵を着脱することが非常に面倒であった。
【０００６】
（ロ）本体の頂端に回転できる一リングを設けた鍵収集装置は、大きい寸法を有する中空リングが鍵収集装置の本体から不協調に伸びたため、外観は不協調になり、且つうっかり当たると壊れる可能性があった。
【０００７】
【課題を解決するための手段】
上記欠点を解決するためになされた本願の請求項１は、上下対向に結合するためのカバーが設けられており、これら上下カバーの中央にはそれぞれ基体部が設けられており、且つ前記各基体部から放射状に伸び適正な幅を有する多数の間隔部が設けられており、対向した各間隔部の間には操作スペースが形成され、なお、前記各間隔部には別々に円弧形溝が設けられ、上下カバーを結合すると前記各円弧形溝が貫通孔に形成され、そして、上下カバーには前記円弧形溝に連通した窪みが設けられており、前記窪みには、外部から滑らせることができ平常時にその先端部が前記円弧形溝に進入する一滑り制御素子が設けられており、円心へ前記滑り制御素子を押すと、その先端部が前記円弧形溝から離脱し、また、欠け口を有する一リングが設けられており、上下カバーを結合した際に、前記リングが前記円弧形溝で形成された貫通孔内に自在に滑ることができ、前記リングの欠け口は、旋回されて間隔部のなかに位置し、又は隣接した間隔部の間の操作スペースに位置することができることを特徴とするリング式鍵収集装置であることを要旨としている。
【０００８】
本願の請求項２では、前記滑り制御素子は、平常時に一弾性素子に付勢されることを特徴とする請求項１に記載のリング式鍵収集装置であることを要旨としている。
【０００９】
本願の請求項３では、前記弾性素子は、滑り制御素子と窪みの間に装着された一バネであることを特徴とする請求項２に記載のリング式鍵収集装置であることを要旨としている。
【００１０】
本願の請求項４では、前記滑り制御素子の外表面には一突起が設けられており、一カバーには前記突起を露出するための四角孔が設けられていることを特徴とする請求項１に記載のリング式鍵収集装置であることを要旨としている。
【００１１】
本願の請求項５では、上下カバーの間隔部における円弧形溝は、前記間隔部の外縁の近傍に設けられたことを特徴とする請求項１に記載のリング式鍵収集装置であることを要旨としている。
【００１２】
【考案の実施の形態】
まず、図１から図３を参照する。この考案の好適な具体例では、ほぼ同じ形と寸法とを有する上下カバー１０，２０が設けられており、上下カバー１０，２０の中央にはそれぞれ基体部１１，２１が設けられており、且つ各基体部１１，２１から放射状に伸び適正な幅を有する多数の間隔部１２，１３，１４，２２，２３，２４が設けられている。間隔部１２，１３，１４，２２，２３，２４の外縁の近傍には円弧形溝１５，２５が設けられており、円弧形溝１５，２５を合わせると、断面が円形を呈する一貫通孔が形成される。
【００１３】
上下カバー１０，２０の各基体部１１，２１と、各間隔部１２，１３，１４，２２，２３，２４と、各円弧形溝１５，２５と、後述する滑り制御素子を組立てるための構造と、は全て一体化に成形することができる。また、作製および組み立てを便利にするために、本具体例では、一カバー１０の基体部１１には貫通孔１６が設けられており、他のカバー２０は貫通孔１６に応じて中空ピン２６が設けられており、そうして、上下カバー１０，２０を合わせると、中空ピン２６が貫通孔１６を挿通し、また、リベットを中空ピン２６に挿通して端部を加圧することにより、上下カバー１０，２０を一体化することができる。
【００１４】
図２と図３に示すように、上下カバー１０，２０には円弧形溝２５に連通した窪み１７，２７が設けられており、且つ窪み２７の裏端に近接した処では、カバー２０の表面まで開けた一四角孔２８が設けられている。窪み１７，２７に合わせるために、寸法が窪み１７，２７よりやや小さい一滑り制御素子２９が設けられ、滑り制御素子２９の外表面には、四角孔２８を挿通しカバー２０の表面から容易に押すことができる一突起２９１が一体に設けられている。平常時に滑り制御素子２９が一弾性素子に付勢されて円弧形溝２５内までに伸び、また、円心へ滑り制御素子２９を押すと、その先端部が円弧形溝２５から離脱する。本実施例では、前記弾性素子は一コイルバネ２９２である。滑り制御素子２９の端末にある窪み２９３にコイルバネ２９２を入れ、コイルバネ２９２の一端が窪み２９３の裏端２９４に当接し、なお、コイルバネ２９２の他端は窪み１７，２７の裏端２７１に当接し、そうすると、コイルバネ２９２は圧縮されたため、平常時には滑り制御素子２９を押し続ける。
【００１５】
一リング３０の直径は、上下カバー１０，２０の円弧形溝１５，２５を合わせて形成された貫通孔の直径と同じであり、且つリング３０の断面直径は円弧形溝１５，２５を合わせて形成された貫通孔の断面直径よりやや小さいものとする。そうして、上下カバー１０，２０を合わせると、リング３０の欠け口３１は円弧形溝１５，２５を合わせて形成された貫通孔のなかを自在に旋回することができる。
【００１６】
リング３０の欠け口３１を旋回して間隔部１２，２２内に入ると、滑り制御素子２９の先端部２９５が欠け口３１に係止され（図３参照）、ここで、リング３０は閉鎖状態である。また、突起２９１を押し滑らせ制御素子２９を裏側へ移動すると（図４参照）、リング３０の欠け口３１は操作スペースに旋回されることができ、ここで、リング３０はオープン状態となり、鍵９０を欠け口３１から着脱することができる。鍵９０を着脱した後、上記閉鎖位置にリング３０を旋回すると、鍵を閉鎖することができる。上記閉鎖位置にリング３０を旋回する際に、滑り制御素子２９が容易に欠け口３１に進入するために、滑り制御素子２９の先端部２９５を面取りしてもよい。
【００１７】
この考案は、図５に示すように、各間隔部の間に形成された操作スペースで色々な鍵を収集することができる。
【００１８】
以上この考案の実施の形態の一例について説明したが、この考案はこうした実施の形態のものに何等限定されず、この考案の要旨を逸脱しない範囲において種々なる形態で実施しうることは勿論である。
【００１９】
【考案の効果】
この考案は次のような効果がある。
【００２０】
（イ）リングの欠け口を操作スペースに旋回すると、鍵の着脱できるスペースは従来のものより大きいため、使用が容易且つ便利である。
【００２１】
（ロ）中空リングが多数の間隔部に挟まれるので、全体構造の機械強度が向上し、うっかり当てても壊れない。
【００２２】
（ハ）リングが装置本体と一体化されたため、全体の外観が綺麗である。
【図面の簡単な説明】
【図１】この考案の好適な具体例の斜視図である。
【図２】図１の分解図である。
【図３】図１におけるものを反転して一カバーを取り外した状態を示す主な構成図である。
【図４】図３に係るリングへ鍵を着脱している状態を示す概略図である。
【図５】この考案により多数の鍵を収集した状態を示す概略図である。
【符号の説明】
１０　　　　上カバー
２０　　　　下カバー
１１，２１　　基体部
１２，１３，１４，２２，２３，２４　　間隔部
１５，２５　円弧形溝
１６　　　　貫通孔
２６　　　　中空ピン
１７，２７　窪み
２８　　　　四角孔
２９　　　　滑り制御素子
２９１　　　突起
２９２　　　バネ
２９３　　　窪み
２９４　　　裏端
２９５　　　先端部
３０　　　　リング
３１　　　　欠け口
９０　　　　鍵
【図１】
0003098097.tif 000003
【図２】
0003098097.tif 000004
【図３】
0003098097.tif 000005
【図４】
0003098097.tif 000006
【図５】
0003098097.tif 000007